(57)【要約】【課題】  固定シンカーとともに、ばねで付勢される可動シンカーを、編針間に配置しても、嵩が高くなることなく、配置スペースも適切に確保することができる、シンカー装置を備えた横編機を提供する。【解決手段】  編針間には、可動シンカー１０とともに固定シンカー１２も配置する。ばね１３は、可動シンカー１０を付勢するとともに、シンカージャック１１の先端部１１ｄで側面を支持される。シンカージャック１１で可動シンカー１０を側方から駆動し、ニードルプレート７に設ける薄肉部７ａの下部を、編針を収容する針溝の底部付近まで下げて、嵩が高くならないようにすることができる。シンカージャック１１も可動シンカー１０を針溝側の側面から押えるために使用することで、配置スペースも適切に確保することができる。【選択図】図１
2015132026.tif 000002
【特許請求の範囲】
【請求項１】
針床に並設されるニードルプレート間に針溝を形成して編針を収容し、針床の先端側で隣接する編針間に配置するシンカー装置として、編針のフックを歯口に進退させて編地を編成する際に編針と協働させる可動シンカーと、編目編成時にシンカーループが掛かる度決め部および天歯となる線材を支持する固定シンカーとを並設する、シンカー装置を備えた横編機において、
可動シンカーは、
ニードルプレートに設ける薄肉部に収容されて揺動可能であって、歯口に向う方向に進退可能なシンカージャックによって駆動され、
薄肉部に形成される揺動支持部で支持される揺動支承部と、
揺動支承部から歯口に進入する方向に延びて、先端に編糸受け部を有する作用腕と、
歯口から離れる方向に揺動支承部から延びて、先端に駆動受け部を有する駆動腕と、
作用腕を歯口内に進出する揺動方向に付勢し、編糸受け部で編目を押圧可能にするばねと、
を含み、
シンカージャックは、
針溝内に収容されて進退可能な幅を有し、編針の上方に配置される基部と、
基部の上方に設けられ、基部の幅を超えて、可動シンカーが収容される側に広がる幅を有する広幅部と、
広幅部で歯口に近い先端付近に設けられ、歯口に向う方向への進退の一方で、可動シンカーの駆動腕の駆動受け部を駆動して、ばねによる押圧付勢に抗して、作用腕を歯口内で退出する方向に揺動させる駆動部と、
広幅部の先端側に設けられ、針溝内に収容されて進退可能な幅を有し、編針の上方に配置される先端部と、
を含み、
可動シンカーの針溝側の側面の少なくとも一部を、シンカージャックの先端部で支持する、
ことを特徴とするシンカー装置を備えた横編機。
【請求項２】
前記ニードルプレートの前記薄肉部に形成される前記揺動支持部は、前記針溝で前記編針が収容される底部付近で、編針と並ぶ高さの範囲に形成されて、
前記可動シンカーの前記揺動支承部は、針溝側の側面を編針によって支持される、
ことを特徴とする請求項１記載のシンカー装置を備えた横編機。
【請求項３】
前記シンカージャックの前記先端部は、前記ばねの側面を支持する、
ことを特徴とする請求項１または２記載のシンカー装置を備えた横編機。
【請求項４】
前記シンカージャックの基部は、
前記広幅部で前記歯口から離れる基端側に設けられ、
広幅部の基端よりも、歯口から離れる位置まで延びる端部に、針溝外に突出する進退駆動用のバットを有する、
ことを特徴とする請求項１〜３のいずれか一つに記載のシンカー装置を備えた横編機。
【請求項５】
前記ニードルプレートの前記薄肉部に、前記揺動支持部の上方を、ニードルプレートの並設方向に貫通する押え板を有し、
前記可動シンカーの前記ばねは、前記作用腕から、押え板の下方で前記揺動支承部との間を通り、前記駆動受け部付近で折返し、押え板の上方を通って作用腕の上方まで延びる先端部が薄肉部の上部に当接する、
ことを特徴とする請求項１〜４のいずれか一つに記載のシンカー装置を備えた横編機。
【発明の詳細な説明】
【技術分野】
【０００１】
本発明は、編針と協働して編地を編成するシンカーとして、可動シンカーと固定シンカーとを有する、シンカー装置を備えた横編機に関する。
【背景技術】
【０００２】
従来から、歯口を挟む前後に一対の針床を備える横編機には、針床の歯口側先端に、シンカーが設けられる。シンカーは、針床から編針のフックを歯口に進出させて、フックに編糸の給糸を受けた編針を針床に引込む際に、フックで形成するニードルループとともにシンカーループを形成して編目の大きさを決定する度決めという、編地編成としての基本的な機能を有する。横編機には、針床の歯口側先端に固定されて不動の固定シンカー（たとえば、特許文献１参照）や、先端部分を歯口内で進退するように揺動可能な可動シンカー（たとえば、特許文献２，３参照）が用いられる。このような可動シンカーでは、度決め機能とともに、ばねで付勢して、形成された編目を押下げるように、先端部分を歯口内に進出する方向に揺動させる閉状態と、押下げを解除して先端部分を歯口内で退出する方向に揺動させる開状態とを切替える機能も有している。
【０００３】
横編機では、可動シンカーと固定シンカーとを併用することもできる（たとえば、特許文献４参照）。特許文献４に開示される可動シンカーは、編目の押下げ用であり、度決めは固定シンカーで行う。特許文献１，４に開示される固定シンカーでは、歯口側先端付近に設ける孔で天歯となる線材を支持することができる。天歯は、フックの引込みで新たな編目を形成する際に、フックに係止されていた編目をノックオーバーさせる際に重要な機能を果たす。
【先行技術文献】
【特許文献】
【０００４】
【特許文献１】特公平５−８５６６４号公報
【特許文献２】国際公開第０５／０１２６１３号
【特許文献３】特許第３５４２３４８号公報
【特許文献４】特開２０１３−１３９６４４号公報
【発明の概要】
【発明が解決しようとする課題】
【０００５】
特許文献２，３に開示されているような可動シンカーの閉状態では、歯口内で揺動する先端部分に設ける編糸受け部で適正な押下げ力を作用させながら、編目を歯口下方に押下げる。編針を針床に引込んで編目を形成する際には、編糸受け部とは異なる部分を利用して度決めを行う。しかしながら、度決めを行う際に編糸受け部への反力を受けて可動シンカーが揺動すると、度決め位置が変動し、特に度詰めやプレーティングの編成で、編地の均一さに影響が出る場合もある。
【０００６】
特許文献４に開示されているシンカー装置では、度決め部や天歯の位置が安定している固定シンカーを使用することができる。固定シンカーの使用で、編目形成時の度決めやノックオーバーを高精度に行うことができ、リブ編成での度詰めや、プレーティング編成などで、綺麗な編地を得ることができる。特許文献１に開示されているような、固定シンカーだけでは、編目を係止しているフックを歯口に進出させて新たな編目を形成させる際に、係止されている編目がフックとともに歯口に進出してしまう付き上がりが発生する場合がある。可動シンカーは、閉状態で、歯口の中央側に進出して対向する針床から歯口に進出する編針に対して編目の付き上がりを抑止する機能を設けることもでき、編糸を編針のフックに給糸する際などには開状態に切替えて、歯口の中央側から退避させることができる。
【０００７】
特許文献４に開示されている可動シンカーは、ばね付勢で編目を歯口下方に押下げる機能を有していないので、この機能が必要であれば、特許文献２，３に開示されている可動シンカーに替えてみることが考えられる。これらの可動シンカーは、一側面側をニードルプレートに設ける薄肉部に収容し、可動シンカーおよびばねが脱落しないように、他側面側を針溝で編針の上方に設けるスペーサーで押えている。可動シンカーを揺動させるためにシンカージャックで駆動する際には、スペーサーを避けて、薄肉部に収容されている可動シンカーに対し、特許文献２のように上方から、または特許文献３のように下方からシンカージャックを作用させる必要がある。上方から作用させるためには、シンカージャックに可動シンカーよりも高い部分が必要となる。下方から作用させるためには、可動シンカーの下方にシンカージャックを作用させるスペースが必要となる。したがって、シンカージャックを可動シンカーの上方または下方から作用させると、シンカー装置としての嵩が高くなってしまう。
【０００８】
また、可動シンカーを固定シンカーと併用する場合、針床の長手方向となる編針の幅方向に関して、固定シンカーを編針間の中央に配置することが必要となる。可動シンカーは、固定シンカーと両側の編針との間の一方に配置することになり、たとえば、編針、固定シンカー、可動シンカー、編針の順に配置する。特許文献３では、基板上に刻設した多数の溝に立設するニードルプレート間を針溝として編針を収容し、ニードルプレートの歯口側先頭部分に薄肉部を設けている。可動シンカーと、可動シンカーを駆動するシンカージャックは薄肉部に収容される。このような、編針間に固定シンカーと可動シンカーとを設け、ニードルプレートの薄肉部に可動シンカーとシンカージャックとを収容する配置を、ファインゲージの横編機に適用しようとすると、ニードルプレートの厚さが薄くなるので、スペース的に困難になる。
【０００９】
本発明の目的は、固定シンカーとともに、ばねで付勢される可動シンカーを、編針間に配置しても、嵩が高くなることなく、配置スペースも適切に確保することができる、シンカー装置を備えた横編機を提供することである。
【課題を解決するための手段】
【００１０】
本発明は、針床に並設されるニードルプレート間に針溝を形成して編針を収容し、針床の先端側で隣接する編針間に配置するシンカー装置として、編針のフックを歯口に進退させて編地を編成する際に編針と協働させる可動シンカーと、編目編成時にシンカーループが掛かる度決め部および天歯となる線材を支持する固定シンカーとを並設する、シンカー装置を備えた横編機において、
可動シンカーは、
ニードルプレートに設ける薄肉部に収容されて揺動可能であって、針溝で編針の上方に収容されて歯口に向う方向に進退可能なシンカージャックによって駆動され、
薄肉部に形成される揺動支持部で支持される揺動支承部と、
揺動支承部から歯口に進入する方向に延びて、先端に編糸受け部を有する作用腕と、
歯口から離れる方向に揺動支承部から延びて、先端に駆動受け部を有する駆動腕と、
作用腕を歯口内に進出する揺動方向に付勢し、編糸受け部で編目を押圧可能にするばねと、
を含み、
シンカージャックは、
針溝内に収容されて進退可能な幅を有し、編針の上方に配置される基部と、
基部の上方に設けられ、基部の幅を超えて、可動シンカーが収容される側に広がる幅を有する広幅部と、
広幅部で歯口に近い先端付近に設けられ、歯口に向う方向への進退の一方で、可動シンカーの駆動腕の駆動受け部を駆動して、ばねによる押圧付勢に抗して、作用腕を歯口内で退出する方向に揺動させる駆動部と
広幅部の先端側に設けられ、針溝内に収容されて進退可能な幅を有し、編針の上方に配置される先端部と、
を含み、
可動シンカーの針溝側の側面の少なくとも一部を、シンカージャックの先端部で支持する、
ことを特徴とするシンカー装置を備えた横編機である。
【００１１】
また本発明で、前記ニードルプレートの前記薄肉部に形成される前記揺動支持部は、前記針溝で前記編針が収容される底部付近で、編針と並ぶ高さの範囲に形成されて、
前記可動シンカーの前記揺動支承部は、針溝側の側面を編針によって支持される、
ことを特徴とする。
【００１２】
また本発明で、前記シンカージャックの先端部は、前記針溝側で前記編針の上方の位置から前記ばねの側面を支持する、
ことを特徴とする。
【００１３】
また本発明で、前記シンカージャックの基部は、
前記広幅部で前記歯口から離れる基端側に設けられ、
広幅部の基端よりも、歯口から離れる位置まで延びる端部に、針溝外に突出する進退駆動用のバットを有する、
ことを特徴とする。
【００１４】
また本発明は、前記ニードルプレートの前記薄肉部に、前記揺動支持部の上方を、ニードルプレートの並設方向に貫通する押え板を有し、
前記可動シンカーの前記ばねは、前記作用腕から、押え板の下方で前記揺動支持部との間を通り、前記駆動受け部付近で折返し、押え板の上方を通って作用腕の上方まで延びる先端部が薄肉部の上部に当接する、
ことを特徴とする。
【発明の効果】
【００１５】
本発明によれば、ばねで付勢する可動シンカーを、ニードルプレートに設ける薄肉部に収容し、針溝側の側面の少なくとも一部をシンカージャックの先端部で支持する。針溝で編針の上方にスペーサーを収容して可動シンカーの針溝側の側面を押える必要はない。針溝で編針の上方は、シンカージャックの先端部を収容する空間として利用することができる。シンカージャックは、編針の上方で針溝に収容される基部の上方に、可動シンカーが収容される側に広がる幅を有する広幅部を含む。シンカージャックの歯口に向う方向への進退の一方による可動シンカーの駆動は、広幅部の先端付近に設ける駆動部で行うことができる。駆動部は、可動シンカーを針溝側の側面で支持する先端部に近い位置で可動シンカーを駆動するので、可動シンカーの上方や下方からではなく、側方から駆動することができ、シンカー装置としての嵩が高くならないようにすることができる。シンカージャックの先端部で可動シンカーを針溝側の側面で支持するので、ばねで付勢する可動シンカーと固定シンカーとを編針間に配置するスペースも適切に確保することができる。
【００１６】
また本発明によれば、可動シンカーを、揺動支承部の側方から編針で押えて、確実に支持することができる。揺動支承部を支持するニードルプレートの揺動支持部は、針溝で編針が収容される底部付近で、編針と並ぶ高さの範囲に形成されるので、シンカー装置の嵩が高くならないようにすることができる。
【００１７】
また本発明によれば、シンカージャックで広幅部から歯口に向う方向に延びる先端部で、可動シンカーのばねを確実に押えて支持することができる。
【００１８】
また本発明によれば、シンカージャックの基部を針溝に収容して、広幅部の基端よりも歯口から離れる位置で、針溝から突出するバットを、編針と同様に、キャリッジに搭載するカムで駆動することができる。
【００１９】
また本発明によれば、可動シンカーのばねを、ニードルプレートに貫通させる押え板の下方と上方とに形成される空間を利用して、薄肉部に収容することができる。
【図面の簡単な説明】
【００２０】
【図１】図１は、本発明の一実施例としてのシンカー装置１を備えた横編機２の概略的な構成を示す簡略化した正面断面図である。
【図２】図２は、図１のシンカー装置１を、歯口３を挟んで前後に対向する針床４，５に備えた横編機２の構成を、歯口３付近で示す拡大した部分的な平面図、および正面断面図である。
【図３】図３は、図１のシンカー装置１を備えた横編機２の構成を示す歯口３付近の正面断面図および部分的な右側面図である。
【図４】図４は、図１のシンカー装置１を備えた横編機２を形成するシンカージャック、可動シンカー、ニードルプレート、および固定シンカーの平面図および正面図であり、ニードルプレートについては右側面図も示す。
【図５】図５は、図１のシンカー装置１を備えた横編機２を駆動するために、キャリッジに搭載するカムの例を簡略化して示すカム配置図、およびカムで駆動されるシンカージャックおよび編針の一部を示す部分的な正面図である。
【発明を実施するための形態】
【００２１】
以下、図１〜図５で本発明の一実施例としてのシンカー装置１を備えた横編機２の構成および動作を説明する。各図の説明では、当該図面には存在しないで、他の図には存在する符号を用いて説明する場合がある。
【実施例】
【００２２】
図１は、本発明の一実施例としてのシンカー装置１を備えた横編機２の主要部分について、（ａ）で可動シンカー１０の開状態、（ｂ）で可動シンカー１０の閉状態を、歯口３に臨む針床４の先端付近の断面でそれぞれ示す。針床４は、歯口３側が高く、歯口３から離れると低く傾斜する。ただし、図１では、説明の便宜上、歯口中心面３ａを傾斜させて、針床４が水平な状態として説明する。後述するように、歯口中心面３ａに関して面対称の位置に、歯口３を挟んで対向する針床５が配置される。
【００２３】
針床４は、基板６を有する。基板６には、ニードルプレート７を挿入する溝が形成される。ニードルプレート７は、基板６に、紙面に垂直な方向に一定の間隔をあけて並設され、ニードルプレート７間は、後述するように、針溝２０となって編針２１を収容する。基板６にニードルプレート７が挿入されると、紙面に垂直な方向に貫通するワイヤ８，９を挿通させて、固定する。
【００２４】
シンカー装置１は、可動シンカー１０およびシンカージャック１１と、固定シンカー１２とを含む。可動シンカー１０は、ニードルプレート７に設ける薄肉部７ａに収容されて揺動可能であって、針溝２０で編針２１の上方に収容されて歯口３に向う方向に進退可能なシンカージャック１１によって駆動される。可動シンカー１０は、後述するように、薄肉部７ａの下部に形成される揺動支持部７ｂで支持される揺動支承部１０ａを含む。可動シンカー１０は、揺動支承部１０ａから歯口３に進入する方向に延びて、先端部分に、編糸受け部１０ｄおよび付き上がり防止部１０ｅを有する作用腕１０ｂと、歯口３から離れる方向に揺動支承部１０ａから延びて、先端に、駆動受け部１０ｆを有する駆動腕１０ｃと、作用腕１０ｂの編糸受け部１０ｄが歯口３下方に向う揺動方向に付勢するばね１３とを、さらに含む。本実施例の可動シンカー１０では、ばね１３が一体的に形成されているけれども、別体の線ばねを組合せてもよい。
【００２５】
シンカージャック１１は、広幅部１１ａと、バット１１ｂと、駆動部１１ｃと、先端部１１ｄと、基部１１ｅとを含む。基部１１ｅは、編針２１と同等に、針溝２０内に収容されて進退可能な幅を有し、編針２１の上方に配置される。広幅部１１ａは、基部１１ｅの上方に設けられ、基部１１ｅの幅を超えて、可動シンカー１０が収容される側の側方へ広がる幅を有する。駆動部１１ｃは、広幅部１１ａで歯口３に向う方向の先端付近に設けられる。駆動部１１ｃは、可動シンカー１０を針溝２０側の側面で支持する先端部１１ｄに近い位置で可動シンカー１０を駆動するので、可動シンカー１０の上方や下方からではなく、側方から駆動することができ、シンカー装置１としての嵩が高くならないようにすることができる。基部１１ｅは、広幅部１１ａに対し、歯口３から離れる基端側となり、広幅部１１ａの基端よりも、歯口３から離れる位置まで延びる。進退駆動用のバット１１ｂは、基部１１ｅの端部に設けられる。基部１１ｅの基端付近には、上方に広幅部１１ａが存在しないので、広幅部１１ｅよりも低い位置からでも、バット１１ｂを針溝２０外に突出させることができる。
【００２６】
図１（ａ）に示すようなシンカージャック１１の歯口３に向う方向への進出で、可動シンカー１０の駆動腕１０ｃの駆動受け部１０ｆを下方に押圧するように駆動する。この駆動は、ばね１３による付勢に抗して、作用腕１０ｂの編糸受け部１０ｄを歯口３上方に向うように揺動させ、可動シンカー１０を開状態にすることができる。図１（ｂ）に示すように、シンカージャック１１を後退させると、駆動受け部１０ｆが駆動部１１ｃからの押圧を受けなくなる。ばね１３による付勢で、可動シンカー１０は閉状態となる。開状態から閉状態に変化する際に、作用腕１０ｂの先端側に設ける編糸受け部１０ｄが歯口３の下方に向うように揺動する。編糸受け部１０ｄは、編成されて編針２１に係止される編目を、シンカーループの押下げで押える。編糸受け部１０ｄの上方に設ける付き上がり防止部１０ｅは、歯口中心面３ａに接近する。歯口中心面３ａに接近した付き上がり防止部１０ｅは、図２に示す対向する針床５から、当該針床５側に設ける可動シンカー３０の編糸受け部３０ｄでは押えられずに、歯口３に進出する編針３１とともに付き上がる編目があれば作用し、付き上がりを抑える。
【００２７】
本実施例では、シンカージャック１１が歯口３に向う方向に前進すると可動シンカー１０が閉状態となり、歯口３から離れる方向に後退すると可動シンカー１０が開状態となるようにしている。しかしながら、シンカージャック１１を歯口３に向う方向に進退させると、可動シンカー１０がそれぞれ閉開するのではなく、それぞれ開閉するように、駆動部１１ｃなどの形状を変更してもよい。すなわち、シンカージャック１１が歯口３に向う方向への進退の一方で可動シンカー１０が開き、他方で可動シンカー１０が閉じるように切替えられればよい。シンカージャック１１を進退させるバット１１ｂは、歯口３から離れる方向で後端付近に設けられ、針溝２０から上方に突出する。ニードルプレートの薄肉部７ａには、揺動支持部７ｂの上方を、ニードルプレート７の並設方向に貫通する押え板１４を有する。押え板１４は、ばね１３を介して、可動シンカー１０の揺動支承部１０ａがニードルプレート７の揺動支持部７ｂに嵌合するように押える。
【００２８】
固定シンカー１２は、歯口中心面３ａに近い位置で、天歯となる線材１５を支持する。固定シンカー１２は、歯口３に臨む針床４の先端から基板６の下部までの範囲に設けられ、針床４に対して、紙面に垂直な方向に貫通するワイヤ１６，１７で固定される。シンカージャック１１の広幅部１１ａは、ニードルプレート７を紙面に垂直な方向に貫通する押え板１８およびワイヤ１９に臨む。押え板１８は、シンカージャック１１を上方から押え、針溝２０からの脱落を防ぐ。
【００２９】
図２は、（ａ）で、歯口３付近を上方から見た構成を拡大して示し、（ｂ）で横編機２としての歯口３付近の構成を示す。ただし、後述するように、ループプレッサー２４に関しては、（ａ）で歯口３に進出させている状態、（ｂ）で歯口３から退避している状態をそれぞれ示す。横編機２では、歯口３を挟んで、針床４と針床５とが対向して配置される。針床４では、並設されるニードルプレート７間に針溝２０が形成される。針溝２０には、編針２１が収容され、歯口３に対して進退可能である。本実施例では、編針２１として、針本体２２とスライダー２３とを組合せる複合針を使用する。編針２１として、フックをべらで開閉するべら針を使用することもできる。
【００３０】
針本体２２の歯口３側の先端には、フック２２ａが形成される。本実施例のスライダー２３は、二枚のブレード２３ａ，２３ｂと、基体２３ｃとを有する。分れている二枚のブレード２３ａ，２３ｂは、基体２３ｃの進退で、歯口３に対して進退させる。二枚のブレード２３ａ，２３ｂの先端部分は、針本体２２のフック２２ａに対して相対移動可能なように、針本体２２に形成されるスライダー溝２２ｂに収容される。ブレード２３ａ，２３ｂの先端はフック２２ａに対する進退で、フック２２ａの鈎口をそれぞれ閉開するとともに、編目を係止する状態でフック２２ａを越えて歯口３に進出し、対向する針床の編針に目移しすることもできる。したがって、針床４，５で歯口３を挟む際には、編針２１のフック２２ａ同士を対向させる。
【００３１】
各針床４，５で、図２（ａ）では上下方向、図２（ｂ）では紙面に垂直な方向となる長手方向に隣接する編針２１のフック２２ａの中間位置には、固定シンカー１２の度決め部１２ａが配置される。可動シンカー１０の作用腕１０ｂの先端は、度決め部１２ａの一側面側とフック２２ａとの間に配置される。
【００３２】
図２（ａ）では、編針２１、固定シンカー１２とともに、可動シンカー１０，３０も歯口３を挟んで対向し、対称配置になっている。このような対称配置は、針床５では、針床４のニードルプレート７、可動シンカー１０、およびシンカージャック１１とそれぞれ対称な形状のニードルプレート２７、可動シンカー３０、およびシンカージャック３１とを使用して実現される。対称配置では、対向する針床４，５間で、可動シンカー１０，３０が配置されなくて、隙間同士が対向する部分が生じる。隙間同士の対向部分は、ループプレッサー２４などの糸案内部材を作用させる間隙として利用することができる。
【００３３】
ループプレッサー２４は、後針床５上に支持される補助床から先端部を歯口３に進退することが可能なものを使用する。ただし、補助床の図示は省略する。このようなループプレッサー２４は、たとえば国際公開第０３／０１８８９２号に開示されており、先端部は、両方の針床４，５でそれぞれ編成される編目を押える機能や編糸をフック２２ａ内に案内する機能を有する。
【００３４】
なお、同一の可動シンカー１０を、前後の針床４，５で共通に使用することもできる。この場合、同一のニードルプレート７を前後の針床４，５で共通に使用する。ただし、前後の針床４，５の可動シンカー１０は、歯口３を挟んで対向する対称配置にはならず、交互に配置される。
【００３５】
図３は、図２の横編機２の構成を、（ａ）で歯口３付近の針床４側を拡大して示し、（ｂ）でその右側面から見た構成を、簡略化して示す。固定シンカー１２は、歯口３に臨む先端付近で天歯となる線材１５を支持する。図の歯口中心面３ａ側に設ける小径の挿通孔に挿通可能な細い線材１５を用いると、天歯の位置を歯口中心面３ａ側に近付けることができる。
【００３６】
ニードルプレート７の薄肉部７ａに形成される揺動支持部７ｂは、針溝２０で編針２１が収容される底部付近で、編針２１と並ぶ高さの範囲に形成される。これによって、可動シンカー１０の揺動支承部１０ａは、針溝２０側の側面を編針２１によって支持される。シンカージャック１１は、広幅部１１ａから歯口３に向う方向に延びる先端部１１ｄを有する。先端部１１ｄは、針溝２０に収容されて進退可能な幅に形成され、針溝２０で編針２１の上方に配置されて、ばね１３の針溝２０側の側面を支持する。
【００３７】
特許文献２、３に開示されているような可動シンカーを用いる場合でも、本実施例の考え方を適用して、シンカージャックを変更して、針溝２０側の側面をシンカージャックと編針２１とで押え、スペーサーを省略することができる。スペーサーを省略することで、針溝２０でシンカージャックを収容する空間として、スペーサーが占めていた、編針２１の上方となる針溝２０の部分まで利用することができる。また、本実施例では、ニードルプレート７に設ける薄肉部７ａは、編針２１が可動シンカー１０を支持する部分まで下げて形成することができることからも、嵩が高くならないようにすることができる。このように、シンカージャック１１および編針２１も可動シンカー１０を針溝２０側の側面から押えるために使用することで、配置スペースも適切に確保することができる。
【００３８】
可動シンカー１０のばね１３は、作用腕１０ｂから、押え板１４の下方で揺動支承部１０ａとの間を通り、駆動受け部１０ｆ付近で折返し、押え板１４の上方を通って作用腕１０ｂの上方まで延びる先端部１３ｃが薄肉部７ａの上部７ｃに当接する。なお、ばね１３は、押え板１４の下面に向って膨らみ、上端で押え板１４の下面に当接する当接部１３ａと、折返し部１３ｂとを有する。当接部１３ａが押え板１４の下面に当接することで、可動シンカー１０の上方への規制を行い、揺動時の支持も行う。このようにして、可動シンカー１０のばね１３を、ニードルプレート７に貫通させる押え板１４の下方と上方とに形成される空間を利用して、薄肉部７ａに収容することができる。
【００３９】
図４は、図１のシンカー装置１を備えた横編機２を形成するシンカージャック１１を（ａ）、可動シンカー１０を（ｂ）、ニードルプレート７を（ｃ）、および固定シンカー１２を（ｄ）で、平面図および正面図としてそれぞれ示す。ただし、図４（ｃ）のニードルプレート７については右側面図も示す。ニードルプレート７と固定シンカー１２とは、同等の厚さを有する。ニードルプレート７には、薄肉部７ａが設けられ、可動シンカー１０を収容する。ニードルプレートの薄肉部７ａには、シンカージャック１１の広幅部１１ａで針溝２０から側方にはみ出す部分も収容される。シンカージャック１１では、前端側の先端部１１ｄ、および後端側のバット１１ｂと基部１１ｅとが、編針２１と同様に、針溝２０に収容され、針溝２０内で編針２１の直上で積層配置される。固定シンカー１２では、度決め部１２ａを含む先端側で、両側方から厚みを減少させている。
【００４０】
図５は、図１のシンカー装置１を備えた横編機２を駆動するために、キャリッジに搭載するカム４０の例を（ａ）で簡略化して示し、カム４０で駆動されるシンカージャック１１および編針２１の一部を（ｂ）で示す。カム４０は、編針２１の針本体２２の後端に結合部２５ａで結合して、駆動を受けるバット２５ｂを有するニードルジャック２５を駆動する編成カムとして、天山カム４１、ニードルレイジングカム４２および度山カム４３，４４を有する。カム４０には、スライダー２３の基体２３ｃのバット２３ｄ，２３ｅを駆動するスライダーカムも設けられるけれども、図示を省略する。カム４０には、さらに、シンカージャック１１のバット１１ｂを駆動するシンカーカム４５が設けられる。シンカーカム４５には、左右に配置される固定ガイド部４５ａ，４５ｂと、中央に配置されて、左右に移動可能な移動ガイド部４５ｃとが設けられる。移動ガイド部４５ｃは、バット１１ｂに押されると、シンカーカム４５の中央に設けられる移動範囲４５ｄの左端４５ｅと右端４５ｆとの間を移動する。
【００４１】
カム４０を搭載するキャリッジが図に対して左方に移動し、バット２５ｂがニットルート２５ｘに沿って右方に案内される場合を想定する。キャリッジが右方に移動してから反転して左方に移動する場合、移動ガイド部４５ｃは左端４５ｅ側に寄って待機している。キャリッジの右方への移動の最後で、カム４０は、シンカージャック１１を、可動シンカー１０が編糸受け部１０ｄで編目を押下げる閉状態になるように後退させる。キャリッジが左方に移動すると、シンカージャック１１のバット１１ｂは、シンカーカム４５によって、ルート１１ｘに沿うように案内される。シンカージャック１１が後退していれば、バット１１ｂはルート１１ｘに沿って、後退位置を保つように案内される。バット１１ｂがルート１１ｘよりも前進しているような場合は、最初に、位相Ａ−Ａで、左方の固定ガイド部４５ａの作用を受けてシンカージャック１１を後退させる。後退位置では、可動シンカー１０が図１（ｂ）に示すような閉状態となり、編糸受け部１０ｄが編目を押える。位相Ｂ−Ｂから位相Ｃ−Ｃにかけて、バット２５ｂは、ニードルレイジングカム４２の上昇カム面で案内され、フック２２ａを歯口３に、給糸可能な位置まで進出させる。フック２２ａは、鈎口先端がブレード２３ａ，２３ｂの先端から離れて歯口３側に前進し、フック２２ａの鈎口が開く。フック２２ａ内に係止されていた編目は、フック２２ａの鈎口からブレード２３ａ，２３ｂの先端側に移動し、編目は付き上がることなくクリアされる。
【００４２】
移動ガイド部４５ｃが左端４５ｅに寄って待機していれば、バット１１ｂが移動ガイド部４５ｃを右端４５ｆまで右方に移動させる。右端４５ｆに移動した移動ガイド部４５ｃは停止し、バット１１ｂは上昇カム面の作用を受け、シンカージャック１１を前進させ、位相Ｄ−Ｄまでに、可動シンカー１０を図１（ａ）に示す開状態にする。開状態は、位相Ｆ−Ｆまで続く。ニットルート２５ｘに沿うニードルジャック２５の案内で、編針２１は、フック２２ａを歯口３に最も進出させる中央位置４０ａを通ってから、後退する。位相Ｄ−Ｄから位相Ｅ−Ｅで、編針２１は、フック２２ａに編糸が給糸され、バット２５ｂが天山カム４１および度山カム４４の下降カム面で案内されて、新たな編目を形成する。編目形成の際の度決めには可動シンカー１０が関与しないで、固定シンカー１２の度決め部１２ａのみが使用される。固定シンカー１２の使用で、編目形成時の度決めやノックオーバーを高精度に行うことができる。
【００４３】
編針２１の後退で、フック２２ａの鈎口は、ブレード２３ａ，２３ｂの先端で閉じられ、ブレード２３ａ，２３ｂの先端側に移動していた編目は、フック２２ａを乗越えて歯口３内にノックオーバーされる。位相Ｆ−Ｆ以降は、針床に引込んだフック２２ａを戻す際に、可動シンカー１０も閉状態に戻して、新たな編目を押えさせる。キャリッジが通り過ぎて、バット１１ｂがシンカーカム４５で駆動されなくなっても、可動シンカー１０は、ばね１３で付勢されるので、閉状態は保持される。
【符号の説明】
【００４４】
１  シンカー装置
２  横編機
３  歯口
４，５  針床
７，２７  ニードルプレート
７ａ  薄肉部
７ｂ  揺動支持部
７ｃ  上部
１０，３０  可動シンカー
１０ａ  揺動支承部
１０ｂ  作用腕
１０ｃ  駆動腕
１０ｄ  編糸受け部
１０ｅ  付き上がり防止部
１０ｆ  駆動受け部
１１，３１  シンカージャック
１１ａ  広幅部
１１ｂ  バット
１１ｃ  駆動部
１１ｄ  先端部
１１ｅ  基部
１２  固定シンカー
１２ａ  度決め部
１３  ばね
１３ｃ  先端部
１４，１８  押え板
１５  線材
２０  針溝
２１  編針
２２  針本体
２２ａ  フック
２３  スライダー
４０  カム
４５  シンカーカム
【図１】
2015132026.tif 000003
【図２】
2015132026.tif 000004
【図３】
2015132026.tif 000005
【図４】
2015132026.tif 000006
【図５】
2015132026.tif 000007